(57)【要約】【課題】資機材の搬入日程を示す施工計画書を少ない労力で作成することを可能にする、土木工事施工計画書作成支援システムを提供すること。【解決手段】土木工事施工計画書作成支援システム１００は、土木工事を構成する工事施工日程を基準とする、工事で使用される資機材の搬入日程の拘束条件を格納する情報格納部１１０と、設定された施工日程および上記拘束条件に基づいて、搬入日程を設定する日程設定部１４０と、設定された搬入日程を示す帳票を生成し、土木工事の施工計画書の一部として出力する帳票出力部１６０と、を有する。【選択図】図１
2016071781.tif 000002
【特許請求の範囲】
【請求項１】
土木工事を構成する工事の施工日程を基準とする、前記工事で使用される資機材の搬入日程の拘束条件を格納する情報格納部と、
設定された前記施工日程および前記拘束条件に基づいて、前記搬入日程を設定する日程設定部と、
設定された前記搬入日程を示す帳票を生成し、前記土木工事の施工計画書の一部として出力する帳票出力部と、を有する、
土木工事施工計画書作成支援システム。
【請求項２】
前記帳票は、前記搬入日程を、前記工事の種別および前記資機材の種別と対応付けて、前記工事毎に示す、
請求項１に記載の土木工事施工計画書作成支援システム。
【請求項３】
前記帳票出力部は、
同一の前記資機材が用いられる複数の前記工事の前記搬入日程を集計し、
前記帳票は、集計された前記搬入日程を、前記工事の種別および前記資機材の種別と対応付けて、前記資機材毎に示す、
請求項１に記載の土木工事施工計画書作成支援システム。
【請求項４】
前記帳票は、前記施工日程のバーチャートと、前記施工日程に対応する前記搬入日程のバーチャートと、を対応付けて示す、
請求項１に記載に土木工事施工計画書作成支援システム。
【請求項５】
前記拘束条件は、前記施工日程の開始点を基準として前記搬入日程を拘束する、
請求項１に記載の土木工事施工計画書作成支援システム。
【請求項６】
前記日程設定部は、
前記搬入日程の設定操作をユーザから受け付ける計画工程表画面を生成して表示し、前記拘束条件に基づいて前記搬入日程の設定操作を制限する、
請求項５に記載の土木工事施工計画書作成支援システム。
【請求項７】
前記日程設定部は、
計画工程表画面を生成して表示し、
前記計画工程表画面は、前記工事の種別と、当該工事で使用される前記資機材の種別と、を対応付けて表示し、表示された前記工事の種別および前記資機材の種別のそれぞれに対するバーチャートの設定操作を、前記施工日程あるいは前記搬入日程の設定操作としてユーザから受け付ける画面である、
請求項１に記載の土木工事施工計画書作成支援システム。
【請求項８】
前記工事の種別と、当該工事で使用される前記資機材の種別と、を対応付けて記述した資機材データを格納する情報格納部と、
前記土木工事の設計書データを取得する設計書取得部と、
取得された前記設計書データから前記工事の種別を取得し、前記資機材データおよび取得された前記工事の種別に基づいて、前記資機材の種別を取得する種別取得部と、を有し、
前記日程設定部は、
計画工程表画面を生成して表示し、
前記計画工程表画面は、取得された前記種別を表示し、表示された前記種別に対する日程の設定操作を、前記施工日程あるいは前記搬入日程の設定操作としてユーザから受け付ける画面である、
請求項１に記載の土木工事施工計画書作成支援システム。
【請求項９】
使用される前記資機材の使用品番情報の入力操作をユーザから受け付け、入力された前記使用品番情報を前記資機材の種別と対応付けて記述する使用品番データを、前記情報格納部に格納する使用品番入力部、を有し、
前記帳票出力部は、
前記使用品番データを参照して、前記搬入日程を、前記工事の種別、前記資機材の種別、および前記使用品番情報と対応付けて示す前記帳票を生成する、
請求項１に記載の土木工事施工計画書作成支援システム。
【請求項１０】
予め用意された、土木工事を構成する工事の施工日程を基準とする、前記工事で使用される資機材の搬入日程の拘束条件と、設定された前記施工日程と、に基づいて、前記搬入日程を設定するステップと、
設定された前記搬入日程を示す帳票を生成し、前記土木工事の施工計画書の一部として出力するステップと、を有する、
土木工事施工計画書作成支援方法。
【請求項１１】
コンピュータに、
予め用意された、土木工事を構成する工事の施工日程を基準とする、前記工事で使用される資機材の搬入日程の拘束条件と、設定された前記施工日程と、に基づいて、前記搬入日程を設定する処理と、
設定された前記搬入日程を示す帳票を生成し、前記土木工事の施工計画書の一部として出力する処理と、を実行させる、
土木工事施工計画書作成支援プログラム。
【発明の詳細な説明】
【技術分野】
【０００１】
本発明は、土木工事の施工計画書の作成を支援する、土木工事施工計画書作成支援システム、土木工事施工計画書作成支援方法、および土木工事施工計画書作成支援プログラムに関する。
【背景技術】
【０００２】
公共工事や民間工事における施工業者の競争入札の際に、各入札業者が作成する施工計画書の内容を考慮して落札業者を決定することが広く行われている。施工計画書とは、施工業者が計画する施工計画に関する書類である。施工計画書には、例えば、土木工事を構成する各工事の施工日程を記載した帳票が含まれる。
【０００３】
ところが、施工計画書の作成には、時間と手間が掛かる。そこで、各工事の施工日程の入力操作を受け付けて工程表を生成し、施工計画書の一部として出力する技術が、例えば特許文献１に記載されている。かかる従来技術によれば、手書きで工程表を作成する場合に比べて、施工計画書の作成に要する労力を低減することができる。
【先行技術文献】
【特許文献】
【０００４】
【特許文献１】特開２０１１−２２７２３号公報
【発明の概要】
【発明が解決しようとする課題】
【０００５】
ところで、施工計画書に求められる記載内容は、時代と共に変化している。各工事では、その工事で使用される資材や機械（以下「資機材」という）が、通常、施工開始前に現場に搬入されている必要がある。近年では、各工事の施工日程だけでなく、各資機材の搬入日程に関する計画内容を、施工計画書に盛り込むことが求められるようになってきている。
【０００６】
しかしながら、搬入日程を計画すべき資機材を特定し、更に、各工事の施工日程を確認しながら的確な搬入日程を決定する作業は、時間と手間が掛かる。したがって、資機材の搬入日程が必要とされる場合であっても、より少ない労力で施工計画書を作成できることが望ましい。
【０００７】
本発明の目的は、資機材の搬入日程を示す施工計画書を少ない労力で作成することを可能にする、土木工事施工計画書作成支援システム、土木工事施工計画書作成支援方法、および土木工事施工計画書作成支援プログラムを提供することである。
【課題を解決するための手段】
【０００８】
本発明の一態様に係る土木工事施工計画書作成支援システムは、土木工事を構成する工事の施工日程を基準とする、前記工事で使用される資機材の搬入日程の拘束条件を格納する情報格納部と、設定された前記施工日程および前記拘束条件に基づいて、前記搬入日程を設定する日程設定部と、設定された前記搬入日程を示す帳票を生成し、前記土木工事の施工計画書の一部として出力する帳票出力部と、を有する。
【０００９】
本発明の一態様に係る土木工事施工計画書作成支援方法は、予め用意された、土木工事を構成する工事の施工日程を基準とする、前記工事で使用される資機材の搬入日程の拘束条件と、設定された前記施工日程と、に基づいて、前記搬入日程を設定するステップと、設定された前記搬入日程を示す帳票を生成し、前記土木工事の施工計画書の一部として出力するステップと、を有する。
【００１０】
本発明の一態様に係る土木工事施工計画書作成支援プログラムは、コンピュータに、予め用意された、土木工事を構成する工事の施工日程を基準とする、前記工事で使用される資機材の搬入日程の拘束条件と、設定された前記施工日程と、に基づいて、前記搬入日程を設定する処理と、設定された前記搬入日程を示す帳票を生成し、前記土木工事の施工計画書の一部として出力する処理と、を実行させる。
【発明の効果】
【００１１】
本発明によれば、資機材の搬入日程を示す施工計画書を少ない労力で作成することを可能にする。
【図面の簡単な説明】
【００１２】
【図１】本発明の一実施の形態に係る土木工事施工計画書作成支援システムの構成の一例を示すブロック図
【図２】本実施の形態における資機材データの内容の一例を示す図
【図３】本実施の形態における搬入日程ルール情報の内容の一例を示す図
【図４】本実施の形態における使用品番データの内容の一例を示す図
【図５】本実施の形態に係る土木工事施工計画書作成支援システムの動作の一例を示すフローチャート
【図６】本実施の形態における計画工程表作成処理の一例を示すフローチャート
【図７】本実施の形態における設計書データの内容の一例を示す図
【図８】本実施の形態における初期状態の計画工程表画面の一例を示す図
【図９】本実施の形態における日程入力受付処理の一例を示すフローチャート
【図１０】本実施の形態における入力操作後の計画工程表画面の一例を示す図
【図１１】本実施の形態におけるテンプレート設定画面の一例
【図１２】本実施の形態における日程表出力処理の一例を示すフローチャート
【図１３】本実施の形態における集計を行わない場合の日程表の一例を示す図
【図１４】本実施の形態における集計を行った場合の日程表の一例を示す図
【発明を実施するための形態】
【００１３】
以下、本発明の一実施の形態に係る土木工事施工計画書作成支援システムについて、図面を参照して詳細に説明する。
【００１４】
＜システムの構成＞
まず、本実施の形態に係る土木工事施工計画書作成支援システムの構成について説明する。
【００１５】
図１は、本実施の形態に係る土木工事施工計画書作成支援システムの構成の一例を示すブロック図である。
【００１６】
なお、図示しないが、図１に示す土木工事施工計画書作成支援システム１００は、例えば、ＣＰＵ（Central Processing Unit）、制御プログラムを格納したＲＯＭ（Read Only Memory）等の記憶媒体、およびＲＡＭ（Random Access Memory）等の作業用メモリを有する。この場合、以下に説明する土木工事施工計画書作成支援システム１００の各部の機能は、ＣＰＵが制御プログラムを実行することにより実現される。
【００１７】
すなわち、土木工事施工計画書作成支援システム１００は、例えば、タブレット端末やパーソナルコンピュータにインストールされたアプリケーションソフトウェアの形態をとる。具体的には、土木工事施工計画書作成支援システム１００は、例えば、既存の表作成ソフトウェアのアドインである。
【００１８】
また、土木工事施工計画書作成支援システム１００は、例えば、通信回路を有し、かかる通信回路を使用した通信により、サーバ装置やプリンタ等の他の装置との間でのデータの入出力を行う。更に、土木工事施工計画書作成支援システム１００は、例えば、タッチパネル付き液晶ディスプレイ等のユーザインタフェースを有し、かかるユーザインタフェースを用いて、情報表示や操作の受け付けを行う。
【００１９】
図１において、土木工事施工計画書作成支援システム１００は、情報格納部１１０、設計書取得部１２０、種別取得部１３０、日程設定部１４０、帳票形式選択部１５０、帳票出力部１６０、および使用品番入力部１７０を有する。
【００２０】
情報格納部１１０は、資機材データ２１０、搬入日程ルール情報２２０、および帳票形式データ２３０を、予め格納している。また、情報格納部１１０は、後述の使用品番入力部１７０により格納される使用品番データ２４０を、保持する。
【００２１】
資機材データ２１０は、工事の種別と、当該工事で使用される資機材の種別と、を対応付けて記述したデータである。
【００２２】
図２は、資機材データ２１０の内容の一例を示す図である。
【００２３】
図２に示すように、資機材データ２１０は、工事の種別を示す工事項目２１１毎に、当該工事で使用される資機材の種別を示す規格２１２と、当該資機材が資材および機械のいずれであるかを示す要素２１３と、を記述したテーブルである。
【００２４】
例えば、「護岸工‐擁壁工‐プレキャスト擁壁設置」という工事項目２１１に対応付けて、「ラフテレーンクレーン」という規格２１２および「機械」という要素２１３が記述されている。更に、「護岸工‐擁壁工‐プレキャスト擁壁設置」という工事項目２１１に対応付けて、「プレキャスト擁壁」という規格２１２および「資材」という要素２１３が記述されている。これは、「護岸工‐擁壁工‐プレキャスト擁壁設置」という種別の工事では、「ラフテレーンクレーン」という種別の機械、および、「プレキャスト擁壁」という種別の資材が使用される、ということを示す。
【００２５】
資機材データ２１０は、過去の工事実績や経験則等に基づいて生成される。なお、積算書や設計内訳書等の設計書のデータ（以下「設計書データ」という）に、資機材データ２１０に相当するものが含まれている場合、後述の種別取得部１３０が、設計書データに基づいて資機材データ２１０を生成してもよい。
【００２６】
図１の搬入日程ルール情報は、施工日程の開始点を基準とする、搬入日程の拘束条件を示す情報である。
【００２７】
図３は、搬入日程ルール情報２２０の内容の一例を示す図である。
【００２８】
図３に示すように、搬入日程ルール情報２２０は、資機材の種別を示す規格２２１毎に、当該資機材の搬入日程ルール２２２を記述したテーブルである。搬入日程ルール２２２は、施工日程の開始点を基準とする搬入日程の拘束条件であり、施工日程に適合するような搬入日程の条件である。
【００２９】
例えば、「ラフテーンクレーン」という規格２２１に対応付けて、「施工開始日の１〜１０日前」という搬入日程ルール２２２が記述されている。これは、「ラフテーンクレーン」という種別の資機材の搬入日程は、工事の施工開始日の１〜１０日前のうち、いずれかの日でなければならない、ということを示す。
【００３０】
搬入日程ルール情報２２０は、過去の工事実績や経験則等に基づいて生成される。なお、設計書データに、搬入日程ルール情報２２０に相当するものが含まれている場合、後述の日程設定部１４０が、設計書データに基づいて搬入日程ルール情報２２０を生成してもよい。
【００３１】
図１の帳票形式データ２３０は、搬入日程を示す帳票の形式を規定するデータである。例えば、帳票形式データ２３０は、発注者毎、および、記載対象の組み合わせ毎に、異なるレイアウトの帳票の形式（以下「帳票形式」という）を規定する。
【００３２】
使用品番データ２４０は、使用される資機材の品番を示す使用品番情報を、当該資機材の種別と対応付けて記述するデータである。
【００３３】
図４は、使用品番データ２４０の内容の一例を示す図である。
【００３４】
図４に示すように、使用品番データ２４０は、資機材の種別を示す規格２４１毎に、使用される資機材の、メーカ名２４２、品番２４３、所有区分２４４、および排ガス対策型２４５を記述したテーブルである。
【００３５】
例えば、「ラフテーンクレーン  ２０ｔ級」という規格２４１に対応付けて、「Ｂ社」というメーカ名２４２、「ｂ３」という品番２４３、および「自社保有」という所有区分２４４が記述されている。これは、「ラフテーンクレーン  ２０ｔ級」という種別の資機材として、自社が保有する、Ｂ社の品番ｂ３の製品が使用されることを示す。
【００３６】
使用品番データ２４０は、後述の使用品番入力部１７０により生成および更新され、情報格納部１１０に格納される。なお、設計書データに、使用品番データ２４０に相当するものが含まれている場合、後述の使用品番入力部１７０が、設計書データに基づいて使用品番データ２４０を生成してもよい。
【００３７】
図１の設計書取得部１２０は、施工計画書の作成の対象となる土木工事の、設計書データを取得する。設計書取得部１２０は、例えば、発注者の情報サーバにアクセスして、設計書データを取得する。そして、設計書取得部１２０は、取得した設計書データを、種別取得部１３０へ出力する。なお、設計書データの取得は、ユーザによる手入力等により行われてもよい。
【００３８】
種別取得部１３０は、入力された設計書データから、上記土木工事を構成する工事（以下、単に「工事」という）の種別を取得する。更に、種別取得部１３０は、資機材データ２１０および取得された工事の種別に基づいて、工事に使用される資機材（以下、単に「資機材」という）の種別を取得する。そして、種別取得部１３０は、取得された工事の種別および資機材の種別を、工事毎に対応付けて、日程設定部１４０へ出力する。
【００３９】
日程設定部１４０は、工事の施工日程と、搬入日程ルール情報２２０が規定する上記拘束条件に基づいて、資機材の搬入日程を設定する。そして、なお、日程設定部１４０は、工事の種別毎に、設定された施工日程を、帳票形式選択部１５０へ出力する。また、日程設定部１４０は、工事の種別と資機材の種別との組み合わせ毎に、設定された搬入日程を、帳票形式選択部１５０へ出力する。
【００４０】
帳票形式選択部１５０は、帳票形式データ２３０が規定する上記複数の帳票形式に対する選択操作を、ユーザから受け付ける。そして、帳票形式選択部１５０は、選択された帳票形式を示す帳票情報と、入力された施工日程および搬入日程とを、帳票出力部１６０へ出力する。
【００４１】
帳票出力部１６０は、入力された施工日程および搬入日程を示す帳票を生成し、土木工事の施工計画書の一部として出力する。帳票は、工事の種別および資機材の種別と対応付けて、搬入日程を示す内容である。帳票の出力は、プリンタを用いた印刷、サーバ装置へのデータ送信、あるいは記録媒体への記録等により行われる。
【００４２】
使用品番入力部１７０は、使用される資機材の品番を示す使用品番情報の入力操作をユーザから受け付ける。そして、使用品番入力部１７０は、図４で説明したような、入力された使用品番情報を資機材の種別と対応付けて記述する使用品番データ２４０を生成して、情報格納部に格納する。
【００４３】
このような構成を有する土木工事施工計画書作成支援システム１００は、各工事の施工日程に基づいて、かかる施工日程に適合するように、各資機材の搬入日程を設定することができる。そして、土木工事施工計画書作成支援システム１００は、設定された搬入日程を示す帳票を、予め用意された帳票形式データに基づいて生成し、出力することができる。
【００４４】
＜システムの動作＞
次に、土木工事施工計画書作成支援システム１００の動作について、表示画面の例を図示しながら説明する。
【００４５】
図５は、土木工事施工計画書作成支援システム１００の動作の一例を示すフローチャートである。
【００４６】
ステップＳ１０００において、使用品番入力部１７０は、使用品番情報の入力操作が行われたか否かを判断する。かかる入力操作は、例えば、ホーム画面の所定のボタンをクリックして使用品番入力画面を表示させ、資機材の種別と対応付けてメーカ名や品番等を入力する操作である。使用品番入力画面は、例えば、使用品番入力部１７０により生成および表示される。
【００４７】
使用品番入力部１７０は、使用品番情報の入力操作が行われた場合（Ｓ１０００：ＹＥＳ）、処理をステップＳ２０００へ進める。また、使用品番入力部１７０は、使用品番情報の入力操作が行われていない場合（Ｓ１０００：ＮＯ）、処理を後述のステップＳ３０００へ進める。
【００４８】
ステップＳ２０００において、使用品番入力部１７０は、入力された使用品番情報を記録する。すなわち、使用品番入力部１７０は、入力された使用品番情報に基づいて、使用品番データ２４０を生成し、情報格納部１１０に格納する。
【００４９】
ステップＳ３０００において、設計書取得部１２０は、施工計画書の新規作成の指示操作が行われたか否かを判断する。かかる指示操作は、例えば、ホーム画面の所定のボタンをクリックして、土木工事一覧画面を表示させ、設計書データの取得の対象となる土木工事を選択する操作である。土木工事一覧画面は、例えば、設計書取得部１２０により生成および表示される。
【００５０】
設計書取得部１２０は、施工計画書の新規作成の指示操作が行われた場合（Ｓ３０００：ＹＥＳ）、処理をステップＳ４０００へ進める。また、設計書取得部１２０は、施工計画書の新規作成の指示操作が行われていない場合（Ｓ３０００：ＮＯ）、処理を後述のステップＳ５０００へ進める。
【００５１】
ステップＳ４０００において、土木工事施工計画書作成支援システム１００は、計画工程表作成処理を行う。計画工程表作成処理は、施工日程および搬入日程の設定の対象となる工事の種別および資機材の種別を並べて表示した、初期状態の計画工程表を作成する処理である。
【００５２】
図６は、計画工程表作成処理（図５のステップＳ４０００）の一例を示すフローチャートである。
【００５３】
ステップＳ４０１０において、設計書取得部１２０は、選択された土木工事の設計書データを取得する。
【００５４】
図７は、設計書データの内容の一例を示す図である。
【００５５】
図７に示すように、設計書データ３１０は、工事の種別を含む工事情報３１１と、工事に必要な日数を含む数量情報３１２とを含む。例えば、設計書データ３１０は、土木工事が、Ａ地点で行われる「護岸工‐擁壁工‐掘削工」という種別の工事を含み、更に、かかる工事が１０日の施工日程を必要とすることを示す。
【００５６】
図６のステップＳ４０２０において、種別取得部１３０は、取得された設計書データから、工事の種別を取得する。
【００５７】
ステップＳ４０３０において、種別取得部１３０は、資機材データ２１０（図２参照）を参照して、取得された工事の種別に対応する資機材の種別を取得する。
【００５８】
ステップＳ４０４０において、種別取得部１３０は、取得された工事の種別と取得された資機材の種別とを対応付けて、計画工程表として一画面で表示する。計画工程表の画面（以下「計画工程表画面」という）は、搬入日程の設定操作をユーザから受け付ける画面である。
【００５９】
図８は、初期状態の計画工程表画面の一例を示す図である。
【００６０】
図８に示すように、計画工程表画面３２０は、属性表示領域３２１および工程入力領域３２２を有する。
【００６１】
属性表示領域３２１は、別の入力画面等で設定された、土木工事の属性情報の属性情報を表示する。
【００６２】
工程入力領域３２２は、例えば、左側に、縦方向に沿って、工事の種別と当該工事で使用される資機材の種別とを対応付けて表示する、種別表示領域３２３を配置している。そして、工程入力領域３２２は、右側に、ドラッグアンドドロップ操作によるバーチャートの描画を受け付けるバーチャート入力領域３２４を配置している。バーチャート入力領域３２４は、種別表示領域３２３に表示された工事の種別および資機材の種別のそれぞれに対するバーチャートの設定操作を、工事の施工日程あるいは資機材の搬入日程の設定操作として、ユーザから受け付ける。
【００６３】
種別取得部１３０は、初期状態の計画工程表画面を表示すると、処理を図５のステップＳ５０００へ進める。
【００６４】
図５のステップＳ５０００において、日程設定部１４０は、計画工程表への施工日程あるいは資機材の搬入日程の入力操作が行われたか否かを判断する。かかる入力操作は、例えば、計画工程表画面３２０のバーチャート入力領域３２４（図８参照）に対して、バーチャートの描画を開始する操作である。
【００６５】
日程設定部１４０は、計画工程表への施工日程あるいは資機材の搬入日程の入力操作が行われた場合（Ｓ５０００：ＹＥＳ）、処理をステップＳ６０００へ進める。なお、日程設定部１４０は、バーチャートを移動させる等、既に設定された日程に対する修正操作が行われた場合についても、処理ステップＳ６０００へ進める。また、日程設定部１４０は、計画工程表への施工日程および資機材の搬入日程の入力操作のいずれも行われていない場合（Ｓ５０００：ＮＯ）、処理を後述のステップＳ７０００へ進める。
【００６６】
ステップＳ６０００において、土木工事施工計画書作成支援システム１００は、日程入力受付処理を行う。日程入力受付処理は、計画工程表への施工日程あるいは資機材の搬入日程の入力操作を受け付け、入力された日程を設定する処理である。
【００６７】
図９は、日程入力受付処理（図５のステップＳ６０００）の一例を示すフローチャートである。
【００６８】
ステップＳ６０１０において、日程設定部１４０は、工事の施工日程の入力操作あるいは修正操作が行われたか否かを判断する。
【００６９】
日程設定部１４０は、工事の施工日程の入力操作あるいは修正操作が行われた場合（Ｓ６０１０：ＹＥＳ）、処理をステップＳ６０２０へ進める。また、日程設定部１４０は、工事の施工日程の入力操作および修正操作のいずれも行われていない場合（Ｓ６０１０：ＮＯ）、処理を後述のステップＳ６０３０へ進める。
【００７０】
ステップＳ６０２０において、日程設定部１４０は、ユーザ操作に従って、計画工程表、つまり、計画工程表画面３２０のバーチャート入力領域３２４（図８参照）に対して、工事の施工日程のバーチャートを描画する。工事の施工日程のバーチャートは、例えば、ユーザの任意の期間に描画することができる。
【００７１】
そして、ステップＳ６０３０において、日程設定部１４０は、資機材の搬入日程の入力操作あるいは修正操作が行われたか否かを判断する。
【００７２】
日程設定部１４０は、資機材の搬入日程の入力操作あるいは修正操作が行われた場合（Ｓ６０３０：ＹＥＳ）、処理をステップＳ６０４０へ進める。また、日程設定部１４０は、資機材の搬入日程の入力操作および修正操作のいずれも行われていない場合（Ｓ６０３０：ＮＯ）、処理を後述のステップＳ６０５０へ進める。
【００７３】
ステップＳ６０４０において、日程設定部１４０は、ユーザ操作に基づいて、計画工程表、つまり、計画工程表画面３２０のバーチャート入力領域３２４に対して、資機材の搬入日程のバーチャートを描画する。但し、資機材の搬入日程の場合、日程設定部１４０は、搬入日程ルール情報２２０に含まれる資機材の搬入日程ルール２２２（図３参照）に従って、バーチャートを描画する。すなわち、日程設定部１４０は、上述の拘束条件に基づいて、ユーザによる資機材の搬入日程の設定操作を制限する。
【００７４】
例えば、日程設定部１４０は、「護岸工‐擁壁工‐プレキャスト擁壁設置」という工事で使用される「ラフテーンクレーン」という資機材については、施工日程の開始日から１ヶ月前の日に対して入力操作が行われたとしても、搬入日程のバーチャートを描画しない。また、日程設定部１４０は、同様に、施工日程の開始日以降の期間に対して入力操作が行われたとしても、搬入日程のバーチャートを描画しない。これは、搬入日程ルール情報２２０において、「ラフテーンクレーン」という規格２２１に対応付けて、「施工開始日の１〜１０日前」という搬入日程ルール２２２が記述されているためである。
【００７５】
なお、日程設定部１４０は、工事の施工日程が設定された時点で、搬入日程ルール２２２を満たす日または区間を、デフォルトの搬入日程として設定し、バーチャートを描画してもよい。
【００７６】
図１０は、日程の入力操作が行われた後の計画工程表画面の一例を示す図であり、図８に対応するものである。同一部分には同一符号を付し、これについての説明を省略する。
【００７７】
図１０に示すように、計画工程表画面３２０は、工事の施工日程を示すバーチャート３３１と、かかる工事で使用される資機材の搬入日程を示すバーチャート３３２とを、近接して表示する。また、計画工程表画面３２０は、施工日程を示すバーチャート３３１と搬入日程を示すバーチャート３３２との間で、太さ、色、あるいは線種等の外観的特徴を異ならせる。更に、計画工程表画面３２０は、複数の工事に関する施工日程のバーチャート３３１および搬入日程のバーチャート３３２を、一斉に表示する。
【００７８】
日程設定部１４０は、描画された施工日程のバーチャート３３１に対する、位置および長さの修正操作を、ユーザから受け付ける。このとき、日程設定部１４０は、施工日程のバーチャート３３１の開始位置の移動に連動して、同じ工事の搬入日程のバーチャート３３２を移動させる。なお、日程設定部１４０は、描画された搬入日程のバーチャート３３２についても、位置および長さの修正操作を受け付けてもよい。但し、日程設定部１４０は、上述の拘束条件に基づいて、搬入日程のバーチャート３３２に対する修正操作を制限する。
【００７９】
このような計画工程表画面３２０により、ユーザは、各工事の施工日程および各資機材の搬入日程を、全体的および直感的に把握することができ、全体の工程の最適化をより簡単に行うことができる。
【００８０】
例えば、複数の工事の間で、人手が必要な工事と、人手が必要な資機材搬入とが、同日の日に行われることは、好ましくない。また、大量の資機材の在場期間と、広い作業スペースが必要な工事の期間とが、重なることは好ましくない。計画工程表画面３２０を用いることにより、少ない労力で、このような状態を回避した工程を計画することができる。
【００８１】
なお、計画工程表画面３２０は、各日程の開始日の日付および終了日の日付のテキスト入力により、各日程の入力を受け付けてもよい。この場合、日程設定部１４０は、上述の拘束条件を満たさない日付が入力されたとき、かかる入力をキャンセルする。
【００８２】
図９のステップＳ６０５０において、日程設定部１４０は、施工日程表画面に対する確定操作が行われたか否かを判断する。かかる確定操作は、例えば、計画工程表画面３２０に表示された所定のボタン（図示せず）をクリックする操作である。
【００８３】
日程設定部１４０は、施工日程表画面に対する確定操作が行われていない場合（Ｓ６０５０：ＮＯ）、処理をステップＳ６０１０へ戻し、日程の入力あるいは修正を継続して受け付ける。日程設定部１４０は、施工日程表画面に対する確定操作が行われた場合（Ｓ６０５０：ＹＥＳ）、処理をステップＳ６０６０へ進める。
【００８４】
ステップＳ６０６０において、日程設定部１４０は、表示されている施工日程表画面の内容で、各工事の施工日程および各資機材の搬入日程を、例えば情報格納部１１０に記録する。そして、日程設定部１４０は、処理を図５のステップＳ７０００へ進める。
【００８５】
図５のステップＳ７０００において、帳票形式選択部１５０は、日程表の帳票の出力操作が行われたか否かを判断する。かかる出力操作は、例えば、資機材の分類毎に用意された、ホーム画面の所定のボタンをクリックして、テンプレート設定画面を表示させ、出力の対象となる帳票として日程表を選択する操作である。テンプレート設定画面は、例えば、帳票形式選択部１５０により生成および表示される。また、資機材の分類は、例えば、指定機械、主要船舶・機械、および資材である。
【００８６】
図１１は、テンプレート設定画面の一例を示す図である。ここでは、指定機械に関する帳票を作成するためのテンプレート設定画面を示している。
【００８７】
図１１に示すように、テンプレート設定画面３４０は、集計単位選択領域３４１、対象選択領域３４２、形式選択領域３４３、および設定ボタン３４４を有する。
【００８８】
集計単位選択領域３４１は、帳票における情報の集計単位の選択操作を受け付ける。対象選択領域３４２は、帳票に表示する対象となる情報の選択操作を受け付ける。形式選択領域３４３は、集計単位以外の、帳票の表示形式の選択操作を受け付ける。
【００８９】
対象選択領域３４２における選択肢には、「使用期間（バーチャート）」および「搬入時期（バーチャート）」が含まれる。「使用期間（バーチャート）」は、工事の施工日程のテキスト表示およびバーチャート表示を示す。「搬入時期（バーチャート）」は、資材の搬入日程のテキスト表示およびバーチャート表示を示す。
【００９０】
帳票形式選択部１５０は、日程表の帳票の出力操作が行われた場合（図５のステップＳ７０００：ＹＥＳ）、処理をステップＳ８０００へ進める。また、帳票形式選択部１５０は、日程表の帳票の出力操作が行われていない場合（Ｓ７０００：ＮＯ）、処理を後述のステップＳ９０００へ進める。
【００９１】
ステップＳ８０００において、土木工事施工計画書作成支援システム１００は、日程表出力処理を行う。日程表出力処理は、日程表を生成し、生成した日程表を含む帳票を、施工計画書の一部として出力する処理である。
【００９２】
図１２は、日程表出力処理（図５のステップＳ８０００）の一例を示すフローチャートである。
【００９３】
ステップＳ８０１０において、帳票形式選択部１５０は、帳票の形式および表示対象の選択を受け付ける。例えば、帳票形式選択部１５０は、テンプレート設定画面３４０（図１１参照）において、複数の工事間で情報を集計して帳票に表示するか否か、および、工事の施工日程および資機材の搬入日程のバーチャートを表示するか否か、等の選択操作を、ユーザから受け付ける。
【００９４】
ステップＳ８０２０において、帳票出力部１６０は、使用品番データ２４０（図４参照）を参照して、表示対象として選択された資機材の使用品番情報を取得する。
【００９５】
ステップＳ８０３０において、帳票出力部１６０は、複数の工事で、施工日程あるいは搬入日程を集計するか否かを判断する。帳票出力部１６０は、例えば、テンプレート設定画面３４０の集計単位選択領域３４１（図１１参照）において、「全対象」、「工事（階層１）」、「工種（階層２）」、および「種別（階層３）」のいずれかが集計単位として選択されたか否かを判断する。
【００９６】
帳票出力部１６０は、複数の工事で施工日程あるいは搬入日程を集計する場合（Ｓ８０３０：ＹＥＳ）、処理をステップＳ８０４０へ進める。また、帳票出力部１６０は、複数の工事で施工日程あるいは搬入日程を集計しない場合（Ｓ８０３０：ＮＯ）、処理を後述のステップＳ８０５０へ進める。
【００９７】
ステップＳ８０４０において、帳票出力部１６０は、選択された単位において、同一の種別の複数の工事の間で、記録された施工日程あるいは搬入日程をそれぞれ統合する。例えば、「種別（階層３）」が集計単位として選択された場合、「擁壁工」等、階層３の種別が同一である複数の工事の各日程を、１つの時間軸上に統合する。
【００９８】
ステップＳ８０５０において、帳票出力部１６０は、帳票形式データ２３０に基づき、選択された内容および形式で、日程表を生成する。
【００９９】
ステップＳ８０６０において、帳票出力部１６０は、生成した日程表を記載した帳票のデータを、施工計画書の一部として出力する。そして、帳票出力部１６０は、処理を図５のステップＳ９０００へ進める。
【０１００】
帳票に記載される日程表の内容は、選択された形式および表示対象に応じたものとなる。
【０１０１】
図１３は、日程の集計を行わない場合の日程表の一例を示す図である。ここでは、「ラフテークレーン」という資機材に関する部分のみを示す。
【０１０２】
図１３に示すように、日程表３５０ａは、「ラフテークレーン  ２０ｔ級」という資機材の種別３５１に対応付けて、工事毎に、使用品番情報３５２、台数３５３、資機材の搬入日程である搬入時期３５４、工事の施工日程である資機材の使用時期３５５、および工事の種別である使用工種３５６を記述している。搬入時期３５４および使用時期３５５は、テキストとバーチャートの両方で表されている。
【０１０３】
このような日程表３５０ａにより、ユーザや発注者は、各工事における各資機材の搬入日程および使用時期を、全体的および直感的に把握することができる。
【０１０４】
図１４は、日程の集計を行った場合の日程表の一例を示す図であり、図１３に対応するものである。図１４と同一部分には同一符号を付し、これについての説明を省略する。
【０１０５】
図１４に示すように、日程表３５０ｂにおいて、資機材の搬入日程である搬入時期３５４と、工事の施工日程である資機材の使用時期３５５は、それぞれ、使用工種３５６に記載された複数の工事の間で統合（集計）された内容となっている。
【０１０６】
このような日程表３５０ｂにより、ユーザや発注者は、より大きな括りでの各資機材の搬入日程および使用時期を、直感的に把握することができる。
【０１０７】
なお、日程表は、例えば、選択された形式および表示対象に応じて、資機材の搬入時期３５４および使用時期３５５のうちいずれか一方のみを示す内容や、テキストおよびバーチャートのうちいずれか一方のみで日程を示す内容と成り得る。
【０１０８】
図５のステップＳ９０００において、帳票出力部１６０は、ユーザ操作等により処理の終了を指示されたか否かを判断する。
【０１０９】
帳票出力部１６０は、処理の終了を指示されていない場合（Ｓ９０００：ＮＯ）、処理をステップＳ１０００へ戻す。また、帳票出力部１６０は、処理の終了を指示された場合（Ｓ９０００：ＹＥＳ）、一連の処理を終了する。
【０１１０】
このような動作により、土木工事施工計画書作成支援システム１００は、各資機材の搬入日程を、その使用時期に適合するように設定し、設定された各資機材の搬入日程を示す帳票を出力することができる。
【０１１１】
なお、図５のステップＳ１０００、Ｓ３０００、Ｓ５０００、Ｓ７０００、Ｓ９０００の判断処理の順序は、図５に示す順序に限定されない。例えば、ステップＳ１０００の判断処理（およびステップＳ２０００の処理）は、図５のステップＳ７０００の判断処理（およびステップＳ８０００の処理）の直後に行われてもよい。
【０１１２】
＜本実施の形態の効果＞
以上のように、本実施の形態に係る土木工事施工計画書作成支援システム１００は、予め用意された、施工日程を基準とする搬入日程の拘束条件と、設定された施工日程とに基づいて、工事で使用される資機材の搬入日程を設定する。そして、本実施の形態に係る土木工事施工計画書作成支援システム１００は、設定された前記搬入日程を示す帳票を生成し、土木工事の施工計画書の一部として出力する。
【０１１３】
これにより、本実施の形態に係る土木工事施工計画書作成支援システム１００は、搬入日程の計画が必要な資機材を特定する作業や、各工事の施工日程を確認しながら的確な搬入日程を決定する作業を、低減あるいは不要化することができる。すなわち、本実施の形態に係る土木工事施工計画書作成支援システム１００は、資機材の搬入日程を示す施工計画書を、少ない労力で作成することを可能にする。
【０１１４】
＜本実施の形態の変形例＞
なお、資機材の搬入日程ルールは、施工日程の開始点ではなく、施工日程の他の地点や、施工日程の全体の区間を基準とする、搬入日程の拘束条件であってもよい。また、資機材の搬入日程ルールは、施工日程が所定の長さ以上である場合、資機材の全搬入量を複数に分割し、複数の区間に分けて搬入する内容であってもよい。また、資機材の搬入日程ルールは、休日や時間帯を考慮した内容であってもよい。すなわち、施工日程や搬入日程の設定対象は、土木工事の作業日のみであってもよい。
【０１１５】
また、土木工事施工計画書作成支援システム１００の構成の一部は、ネットワーク上のサーバ等の外部装置に配置され、他の部分と離隔していてもよい。この場合、土木工事施工計画書作成支援システム１００は、かかる外部装置と通信を行うための通信部を備える必要がある。
【０１１６】
また、本開示は、土木工事における施工計画書の作成のみならず、他の各種工事における各種書類の作成に適用してもよい。例えば、本開示は、建築工事における資機材の搬入日程のみを含む書類を作成するケースにも、適用することができる。
【産業上の利用可能性】
【０１１７】
本発明は、資機材の搬入日程を示す施工計画書を少ない労力で作成することを可能にする、土木工事施工計画書作成支援システム、土木工事施工計画書作成支援方法、および土木工事施工計画書作成支援プログラムとして有用である。
【符号の説明】
【０１１８】
１００  土木工事施工計画書作成支援システム
１１０  情報格納部
１２０  設計書取得部
１３０  種別取得部
１４０  日程設定部
１５０  帳票形式選択部
１６０  帳票出力部
１７０  使用品番入力部
２１０  資機材データ
２２０  搬入日程ルール情報
２３０  帳票形式データ
２４０  使用品番データ
【図１】
2016071781.tif 000003
【図２】
2016071781.tif 000004
【図３】
2016071781.tif 000005
【図４】
2016071781.tif 000006
【図５】
2016071781.tif 000007
【図６】
2016071781.tif 000008
【図７】
2016071781.tif 000009
【図８】
2016071781.tif 000010
【図９】
2016071781.tif 000011
【図１０】
2016071781.tif 000012
【図１１】
2016071781.tif 000013
【図１２】
2016071781.tif 000014
【図１３】
2016071781.tif 000015
【図１４】
2016071781.tif 000016